(57)【要約】【課題】追加部材を設けることができつつも、筐体内に追加部材を設けるためのスペースをなくすることができ、筐体の小型化ができる電子機器を得る。【解決手段】壁面内に埋め込まれる箱型の本体２と、該本体２の前面に取り付けられるカバー３とからなる電子機器１において、前記本体２は、下壁に設けられ、オプション部材６が本体２内から挿入される開口部２ｂと、該開口部２ｂの近傍に設けられ、前記オプション部材６の上端部に形成した係止部６ｉ、６ｋが係止する本体係止部２ｄ、２ｆとを備える。【選択図】図１
2008252575.tif 000002
【特許請求の範囲】
【請求項１】
壁面内に埋め込まれる箱型の本体と、該本体の前面に取り付けられるカバーとからなる電子機器において、
前記本体は、該本体の下壁に設けられ、オプション部材が本体内から挿入される開口部と、該開口部の近傍に設けられ、前記オプション部材の上端部に形成した係止部が係止する本体係止部とを備えたことを特徴とする電子機器。
【請求項２】
前記開口部の上部に前記本体の底壁からボスを立設し、前記オプション部材を該ボスに係止すると共に、ネジ止めして固定することを特徴とする請求項１記載の電子機器。
【請求項３】
前記オプション部材の背面には、前記オプション部材の前記開口部への挿入をガイドする、前記ボスの外径と略等しい内径のガイド溝が形成されていることを特徴とする請求項２記載の電子機器。
【発明の詳細な説明】
【技術分野】
【０００１】
この発明は、電子部材を有する電子機器 、例えば、戸建の住宅又は集合住宅の各戸に設置される住宅情報盤やドアホン等の電子機器に関する。
【背景技術】
【０００２】
従来、住宅情報盤やドアホン等の電子機器において、電子機器の標準の機能に加えて、オプション的に機能を追加したり、又は異なる機能を有する別部材を電子器機器の筐体内に追加して設けたりする場合がある。例えば、特開平２００２−２８１４８９号公報（特許文献１）には、テレビドアホンの筐体において、玄関子機で撮影された画像を録画する録画ユニットを、後付けで、筐体内に装着できる構造が開示されている。又、登録実新案第３０３１５９０号公報（特許文献２）には、壁面内に埋め込まれる玄関子機において、別部材として、映像アダプタを、子機の筐体に装着できる構造が開示されている。
【特許文献１】特開平２００２−２８１４８９号公報
【特許文献２】登録実新案第３０３１５９０号公報
【発明の開示】
【発明が解決しようとする課題】
【０００３】
前記従来例は何れも、筐体本体へのオプション部材又は別部材等の追加部材の装着構造を開示するものであるが、この場合、当然、追加部材を筐体内に設けることを前提として筐体は設計されており、即ち、最初から追加部材を設けるためのスペースが用意されている。このため、追加部材を設けない場合にも、追加部材を設けるためのスペースが必要であり、筐体の小型化が困難であった。
【０００４】
前記の事情に鑑み、この発明は、追加部材を設けることができつつも、筐体内に追加部材を設けるためのスペースをなくすことができ、筐体の小型化ができる電子機器を得ることを目的とする。
【課題を解決するための手段】
【０００５】
この発明は、壁面内に埋め込まれる箱型の本体と、該本体の前面に取り付けられるカバーとからなる電子機器において、前記本体は、該本体の下壁に設けられ、オプション部材が本体内から挿入される開口部と、該開口部の近傍に設けられ、前記オプション部材の上端部に形成した係止部が係止する本体係止部とを備えたことを特徴とする電子機器、である。
【０００６】
又、この発明は、前記電子機器であって、前記開口部の上部に前記本体の底壁からボスを立設し、前記オプション部材を該ボスに係止すると共に、ネジ止めして固定することを特徴とする電子機器、である。
【０００７】
又、この発明は、前記電子機器であって、前記オプション部材の背面には、前記オプション部材の前記開口部への挿入をガイドする、前記ボスの外径と略等しい内径のガイド溝が形成されていることを特徴とする電子機器、である。
【発明の効果】
【０００８】
この発明によれば、オプション部材を、本体の内部から下壁に形成した開口部を通して本体の外部に露出させて設けることができ、本体内部にオプション部材を設けるスペースがなくとも、オプション部材を追加して設けることができる。従って、この発明によれば、電子機器において、追加部材を設けることができつつも、箱型の本体内に追加部材を設けるためのスペースをなくすることができ、本体の小型化ができ、延いては本体とカバーからなる筐体の小型化ができる。
【０００９】
更に、この発明によれば、オプション部材と本体に互いに係合する係止部をそれぞれ設けているので、オプション部材を本体の開口部より垂下した状態で係止することができ、手を離しても本体の開口部から落ちることがなく、そして、本体の係止部を底壁に立設したボスとし、オプション部材の係止部をボスにネジ止めすることで、オプション部材を本体に固定することができ、又オプション部材の挿入をガイドするボスの外径と略等しい内径のガイド溝をオプション部材に設けることで、オプション部材の装着の際に本体の開口部への挿入を容易にすることができる。
【発明を実施するための最良の形態】
【００１０】
この発明の電子器機器の実施の形態を図１乃至６に基づき説明する。尚、図１（ａ，ｂ，ｃ）は、この発明の電子機器の一例である住宅情報盤を示し、カバーが本体に装着され、且つオプション部材が本体に装着された状態における正面図、側面図及び底面図であり、図２（ａ，ｂ）は、同上の本体を示し、オプション部材が装着されていない状態における本体内面側の斜視図であり、図３（ａ，ｂ，ｃ）は、同上のオプション部材を示し、その正面図、背面（ガイド溝側）図及び（ａ）のＣ−Ｃ線部断面図であり、図４（ａ，ｂ）は、同上の本体を示し、オプション部材の挿入の前後を示す本体内面側の正面図であり、図５（ａ，ｂ，ｃ）は、同上の本体を示し、オプション部材の開口部への挿入から装着までを示す図４（ａ）のＶ−Ｖ線部に相当する部分の断面図であり、図６（ａ，ｂ）は、同上のオプション部材を示し、その平面図及び底面図である。
【００１１】
図１乃至６において、１は、この発明の電子機器の一例である住宅情報盤であある。尚、住宅情報盤は、戸建の住宅又は集合住宅の各戸の戸内に設置され、玄関に設置されるドアホン子機や集合住宅における集合玄関機等の戸外に設置される機器と接続されて用いられるものである。
【００１２】
住宅情報盤１は、図１（ａ，ｂ，ｃ）に示す様に、箱型の本体２とその前面に取り付けられるカバー３とからなり、居室の壁面に設けられるものであるが、カバー３が壁面より露出し、本体２が壁面内に埋め込まれて設けられるタイプのものである。又、本体２が、それを背面側より収容する図示しない埋め込み用ボックス（スイッチボックスともいう）を介して壁面内に設けられるタイプのものである。
【００１３】
住宅情報盤１は、そのカバー３の表面側に表示モニタ４や通話釦５等が設けられており、ドアホン子機や集合玄関機等の前の訪問者を表示モニタ４により映像で確認したり、その訪問者と通話釦５を押すことで通話できるようになっている。
【００１４】
６は、オプションユニット（オプション部材）であり、住宅情報盤１の標準機能にオプション機能を付加するものであり、ユーザの希望等、必要に応じて増設されるものである。このオプションユニット６の内容としては、例えば、録画機能、コール釦機能、水漏れ機能等がある。
【００１５】
オプションユニット６は、本体２の下壁２ａより外部に垂下する如く設けられている。そして、図示は省略するが、このオプションユニット６は、本体２が壁面に埋設された状態において、壁面内部に形成される下壁２ａの下方（具体的には下壁２ａと図示しない埋め込み用ボックスの下壁との間）のデッドスペースに配置されることとなる。
【００１６】
本体２には、図２（ａ，ｂ）に詳細に示す様に、その下壁２ａに、オプションユニット６を本体２内より挿通又は挿入するための開口部２ｂが形成されている。又、その底壁２ｃに、開口部２ｂの近傍であってその上部に位置する第１の本体側係止部２ｄを外周面上部に有すると共に、底壁２ｃから立設されるオプション用止めボス２ｅが設けられている。更に、下壁２ａの内面には開口部２ｂの本体２の表側の開口縁部に第２の本体側係止部２ｆが設けられている。
【００１７】
オプションユニット６は、図３（ａ，ｂ，ｃ）に詳細に示す様に、そのケーシング６ａの上端面６ｄに、本体２にオプションユニット６を装着した状態で、本体２におけるオプション用止めボス２ｅのネジ孔と相対する止めネジ挿通孔６ｆを有するネジ止め部６ｅが設けられている。このネジ止め部６ｅは、その裏面側（ケーシング６ａの裏面６ｃ側）に、上端に円弧状の裏面側フック部６ｇを有し、本体２のオプション用止めボス２ｅを収容する収容凹部６ｈを有している。円弧状のリブで形成されるフック部６ｇは、その内面にオプション用止めボス２ｅの外径と略等しい内径を有し、第１の本体側係止部２ｄが内接する第１のオプション側係止部６ｉを有している。ケーシング６ａの裏面６ｃ側には、その上下方向に延在し、本体２のオプション用止めボス２ｄの外径と略等しい内径を有するガイド溝６ｊが形成されている。このガイド溝６ｊは、上端はネジ止め部６ｅの裏面側の収容凹部６ｈに至りそれと連続して設けられており、下端はケーシング６ａの下端に至り、又その下端側には下端に向けて径が徐々に大きくなる拡径部６ｍが形成されている。ガイド溝６ｊにより、オプションユニット６の開口部２ｂへの挿入時に位置ずれが防止できる様にガイドされる。ケーシング６ａの表面６ｂ側にはその上端縁に表面側フック部６ｐが突設されており、表面側フック部６ｐはその下面に本体２の第２の本体側係止部２ｆに上側から係合する第２のオプション側係止部６ｋを有する。尚、６ｎは、ネジ止め部６ｅの表面側（ケーシング６ａの表面側６ｂ）に設けられ、ネジ挿通孔６ｆに至るドライバー挿入部である。
【００１８】
そして、オプションユニット６を本体２に装着する際には、図４（ａ，ｂ）に示す様に、本体２の内側からオプションユニット６を開口部２ｂに向けて挿入して装着する。
【００１９】
具体的には、先ず、図５（ａ）に示す様に、オプションユニット６を手前に傾けて、ケーシング６ａの表面６ｂ側の下端縁を開口部２ｂ内に収めつつ、ケーシング６ａの裏面６ｃ側に形成されているガイド溝６ｊの下端側の拡径部６ｍ内にオプション止め用ボス２ｅをあてがう。この際、ガイド溝６ｊの拡径部６ｍの内径はオプション止め用ボス２ｅの外径よりも若干大きく形成されているので、拡径部６ｍ内にオプション止め用ボス２ｅをあてがい易い。次いで、図５（ｂ）に示す様に、オプションユニット６を下方に、即ち本体２外に押しやり、ケーシング６ａを開口部２ｂに挿通させる。この際、ガイド溝６ｊの内径はオプション止め用ボス２ｅの外径とほぼ同じに形成されているので、ガイド溝６ｊとオプション用止めボス２ｅによって方向が規制されながら、ケーシング６ａは下方にスライドすることとなる。そして、図５（ｃ）に示す様に、更にオプションユニット６を下方に押しやり、ガイド溝６ｊに連続して設けられるネジ止め部６ｅの裏面側の収容凹部６ｈにオプション止め用ボス２ｅを収容し、ネジ止め部６ｅの裏面側の上端のフック部６ｇ内面の第１のオプション側係止部６ｉにオプション止め用ボス２ｅの外周面上部の第１の本体側係止部２ｄを内接させて、両係止部６ｉ、２ｄを係合させ、且つ、ケーシング６ａの表面側のフック部６ｐ下面の第２のオプション側係止部６ｋを下壁２ａの第２の本体側係止部２ｆに上側から当接させて、両係止部６ｋ、２ｆを係合させる。これにより、オプションユニット６は開口部２ｂより本体２外に垂直に懸架されると共に、且つ前後（表裏）左右に位置が規制された状態で本体２に係止される。その後、ネジ止め部６ｅのネジ挿通孔６ｆにネジを挿通し、オプション止め用ボス２ｄのネジ孔にネジを螺合することで、オプションユニット６を本体２に固定する。
【００２０】
前記の様に、住宅情報盤１においては、オプションユニット６のケーシング６ａの殆どを本体２の下壁２ａより外部の埋め込みボックスとの間の空きスペースに位置させて設けることができる。
【００２１】
従って、住宅情報盤１によれば、オプションユニット６を追加して設けることができつつも、本体２内にそれを設けるためのスペースをなくすることができるので、本体２を小型化することができ、延いては本体２とカバー３からなる筐体を小型化することができる。
【００２２】
ここで、オプションユニット６について詳細な説明を行う。図６はオプションユニット６の上面図と下面図である。オプションユニット６は、内部にプリント基板６ｒを有し、この基板に前述の録画機能、コール釦機能、水漏れ機能などの標準機能にはない、追加機能を行うための回路が設けられている。また、オプションユニット６の上端面６ｄ側には、内部配線を接続するためのコネクタ端子６ｓが設けられ、下端面６ｔ側には、外部配線を接続するためのコネクタ端子６ｕが基板６ｒに設けられている。
【００２３】
次にオプションユニット６に配線を結線する手順について説明する。まず、壁面内に埋め込まれた本体２の開口部２ｂから外部配線を本体２側に引き込み、その外部配線にコネクタ付きのリード線を圧着する。そして、そのリード線のコネクタを、コネクタ端子６ｕに接続する。接続がすんだら、外部配線やリード線を、再び開口部２ｂを通して、本体の外側に押しやる。この際、開口部２ｂは、図１（ｂ）に示すように、下壁２ａだけでなく、側壁方向にもまたがって開口しているので、外部配線を引き出したり、引き込む作業が容易である。その後、内部配線のコネクタをコネクタ端子６ｓに接続し、あとは、上述したように、開口部２ｂにオプションユニット６を挿入する。
【００２４】
本発明は、以上の通りであるが、住宅情報盤の本体は、埋込ボックス内に取り付ける代わりに、たる木を使用した木枠方式の取り付けによって、壁面内に埋め込むようにしてもよく、必ずしも、埋込ボックスが必要なわけではない。
【図面の簡単な説明】
【００２５】
【図１】この発明の電子機器の一例である住宅情報盤を示し、カバーが本体に装着され、且つオプション部材が本体に装着された状態における、（ａ）が正面図、（ｂ）が側面図、（ｃ）が底面図である。
【図２】同上の本体を示し、（ａ）及び（ｂ）何れも、本体内面側の斜視図であり、オプション部材が装着されていない状態を示す図である。
【図３】同上のオプション部材を示し、（ａ）が正面図、（ｂ）が背面（ガイド溝側）図、（ｃ）が（ａ）のＣ−Ｃ線部断面図である。
【図４】同上の本体を示し、（ａ）及び（ｂ）何れも本体内面側の正面図であり、オプション部材を開口部へ挿入の前後の状態を示す図である。
【図５】同上の本体を示し、（ａ）乃至（ｃ）何れも図４（ａ）のＶ−Ｖ線部に相当する部分の断面図であり、オプション部材の開口部への挿入から装着までを示す図である。
【図６】同上のオプション部材を示し、（ａ）が平面図、（ｂ）が底面図である。
【符号の説明】
【００２６】
１    住宅情報盤            ２    本体        ２ａ  下壁
２ｂ  開口部                ２ｃ  底壁        ２ｄ  第１の本体側係止部
２ｅ  オプション用止めボス  ２ｆ  第２の本体側係止部
３    カバー                ４    表示モニタ  ５    通話ボタン
６    オプションユニット    ６ａ  ケーシング  ６ｂ  表面
６ｃ  裏面                  ６ｄ  上端面      ６ｅ  ネジ止め部
６ｆ  止めネジ挿通孔        ６ｇ  裏面側フック部
６ｈ  収容凹部              ６ｉ  第１のオプション側係止部
６ｊ  ガイド溝              ６ｍ  拡径部      ６ｋ  第２のオプション側係止部
６ｎ  ドライバ挿入部        ６ｐ  表面側フック部
６ｒ  基板                  ６ｓ  コネクタ端子
６ｕ  コネクタ端子          ６ｔ  下端面
【図１】
2008252575.tif 000003
【図２】
2008252575.tif 000004
【図３】
2008252575.tif 000005
【図４】
2008252575.tif 000006
【図５】
2008252575.tif 000007
【図６】
2008252575.tif 000008